(57)【要約】【課題】  本発明は、色再現範囲の異なるカートリッジを使用した場合のカートリッジ毎の印刷結果を、印刷前にユーザに通知し、比較しやすい環境をユーザに提供することを課題とする。【解決手段】  色再現範囲の異なるカートリッジ毎のプロファイルを別々に有しており、それぞれのプロファイルを用いたプレビュー結果をユーザに通知する手段と、プレビュー結果を比較するための環境をユーザに提供する手段を備える。【選択図】        図１
2006053642.tif 000002
【特許請求の範囲】
【請求項１】
色再現範囲の異なる印刷カートリッジを使用する印刷装置において、
前記印刷カートリッジを用いて印刷する前にユーザに通知し、同時にプレビューする環境をユーザに提供することを特徴とする印刷結果通知装置。
【請求項２】
前記印刷装置はレーザプリンタであることを特徴とする請求項１に記載の印刷結果通知装置。
【請求項３】
請求項１に記載の印刷結果通知装置は、カラーマネジメントシステム内に、前記印刷カートリッジ用のプロファイルを複数持つことを特徴とする印刷結果通知装置。
【請求項４】
請求項１に記載の印刷結果通知装置は、入力画像データに対してプレビュー処理を行うプレビュー処理手段を持つことを特徴とする印刷結果通知装置。
【請求項５】
請求項４に記載のプレビュー処理手段は、同一の入力画像データに対して色再現範囲の異なる印刷カートリッジを対象としたプレビュー処理を施した画像を同時に視認可能な画像データとして出力する出力手段を持つことを特徴とする印刷結果通知装置。
【請求項６】
請求項５に記載の出力ステップは、プレビュー処理をする画像を同時に横に並べて表示することを特徴とする印刷結果通知装置。
【発明の詳細な説明】
【技術分野】
【０００１】
本発明は、印刷結果通知装置に関するものであり、特に色再現範囲の異なるカートリッジを使用した場合のカートリッジ毎の印刷結果を、印刷前にユーザに通知し、比較しやすい環境をユーザに提供する手段に関するものである。
【背景技術】
【０００２】
カラー画像を出力する前にその画像をモニタに表示する、所謂プレビューできる画像形成装置がある。このプレビューは画像を形成するＹＭＣＫ信号を反転したＲＧＢ信号をモニタに表示するものであり、出力される画像の概要を確認する程度のものから、画像形成装置の色再現範囲を超える画像部分を確認できるものなどがある。また、ＬＢＰ（Ｌａｓｅｒ  Ｂｅａｍ  Ｐｒｉｎｔｅｒ（登録商標））などの出力デバイスが複数接続された状態であるとき、それぞれの出力デバイスの色再現範囲におけるプレビューをモニタに複数表示し、プレビュー結果から出力デバイスを選択することが出来るものなどがある。
【０００３】
また、下記特許文献１には、用途に応じてカラーマッチングを選択する技術の記載がある。
【特許文献１】特開平７−２２２００９号公報
【発明の開示】
【発明が解決しようとする課題】
【０００４】
色再現範囲の異なるカートリッジを使用した場合、ＬＢＰ（Ｌａｓｅｒ  Ｂｅａｍ  Ｐｒｉｎｔｅｒ（登録商標））で再現できる色再現範囲はカートリッジ毎に異なり、印刷結果も異なったものとなる。しかし、ユーザがその違いを知るには、カートリッジを変更し実際に印刷を行う必要がある。
【０００５】
本発明は、上記のような問題に鑑み、カートリッジを変更して印刷することなく、それぞれの印刷結果をユーザに通知し、両者を比較し易い環境をユーザに与える印刷結果通知装置を提供することを課題とする。
【課題を解決するための手段】
【０００６】
前記の課題を解決するために、本出願に関わる発明は、ＬＢＰ（Ｌａｓｅｒ  Ｂｅａｍ  Ｐｒｉｎｔｅｒ（登録商標））において色再現範囲の異なるカートリッジを使用した場合に、それぞれのカートリッジ毎のプロファイルをカラーマネジメントシステム内に持つことによって、カートリッジ毎の印刷結果を印刷前にユーザに通知し、比較しやすい環境を備えた印刷結果通知装置をユーザに提供することが可能となる。
【０００７】
前記構成を改めて説明すると、
色再現範囲の異なる印刷カートリッジを使用する印刷装置において、
前記印刷カートリッジを用いて印刷する前にユーザに通知し、同時にプレビューする環境をユーザに提供することを特徴とする印刷結果通知装置、
となる。
【発明の効果】
【０００８】
本発明により、ユーザに、色再現範囲の異なるカートリッジを使用したときの印刷結果を実際に印刷することなくプレビュー画像にて通知する仕組みを提供することが出来る。
【発明を実施するための最良の形態】
【０００９】
以下、添付図面を参照して本発明に係る実施形態を詳細に説明する。
【実施例】
【００１０】
図１は、本システムの実施形態を示すブロック図である。
【００１１】
本発明は、ＬＢＰ（Ｌａｓｅｒ  Ｂｅａｍ  Ｐｒｉｎｔｅｒ（登録商標））３０用のカートリッジとして、２つの色再現範囲の異なるカートリッジ、カートリッジＡ３１とカートリッジＢ３２が存在することを前提とする。
【００１２】
本システムは、ＬＢＰ（Ｌａｓｅｒ  Ｂｅａｍ  Ｐｒｉｎｔｅｒ（登録商標））３０とカラーモニタ１０がホストコンピュータ２０に接続されている。
【００１３】
ホストコンピュータ２０は、画像データを処理し、その結果をカラーモニタ１０に表示させたり、ＬＢＰ（Ｌａｓｅｒ  Ｂｅａｍ  Ｐｒｉｎｔｅｒ（登録商標））３０にて印刷処理を行わせたりするものであり、カラーマネジメントシステム４０を備えている。
【００１４】
カラーマネジメントシステム４０とは、共通の色空間を用いることによりデバイス毎の色の違いをなくすものである。これは、同じ色空間において同じ座標で記述される色であれば、それらの色の見えは同じであるという考えのもとに、すべての色を同じ色空間で表現し、その対応する座標を一致させることにより、色の見えの一致を得ようとするものである。現在、一般に用いられる方法の１つとして、色空間としてＣＩＥ−ＸＹＺ空間を用いて、その内部記述座標値であるＸＹＺ３刺激値を用いて、デバイスごとの違いを補正する方法がある。
【００１５】
カラーマネジメントシステム４０として、色再現に関わる色空間変換を行う色変換部４２と、カラーモニタ１０と２つの色再現範囲の異なるカートリッジＡ３１とカートリッジＢ３２の色再現範囲データや、色空間圧縮アルゴリズムを含むプログラムなどが含まれたプロファイル４１が格納されている。よって、プロファイル４１内には、カラーモニタ用プロファイル１００・カートリッジＡ用プロファイル１０１・カートリッジＢ用プロファイル１０２が保存されている。
【００１６】
図２はプレビュー手順例を示すフローチャートである。
【００１７】
ステップ１：カラーモニタ上で作成したカラー画像データを、プレビューするか否かを判定する。
【００１８】
ステップ２：プレビューをする場合は、ステップ２でプレビューするのに使用するカートリッジを選択する。図３に選択画面の基本例を示す。プレビューしたいカートリッジを、左側のチェックボックスにて選択する。どちらかのみの選択も両方ともの選択も可能である。
【００１９】
ステップ３：ＣＲＴ等のカラーモニタ上で作成したカラー画像ＲＧＢデータを入力する。
【００２０】
ステップ４：カラーモニタ上で作成したカラー画像データは、ステップ２で選択されたカートリッジ用のプロファイルによってＬａｂデータに変換され、選択されたカートリッジに従属するＣＭＹＫ色空間のＣＭＹＫデータに変換される。
【００２１】
ステップ５：色空間圧縮処理が行われる。
【００２２】
ステップ６・７：カラーモニタ用プロファイルにより、Ｌａｂデータがカラーモニタに従属する色空間のＲＧＢデータに変換され、モニタに表示される。つまり、ターゲットによって印刷されるであろう画像、つまりプレビュー画像をカラーモニタに表示することができ、その色再現性を観察することが出来る。
【００２３】
ステップ８：ステップ２にて複数のカートリッジを選択した場合は、ステップ４へと戻り処理を繰り返す。
【００２４】
図４はプレビュー画面の基本例を示している。
【００２５】
左側のプレビュー画面にカートリッジＡを用いた場合の画像、右側プレビュー画面にカートリッジＢを用いた場合の画像が表示されている。両者は独立したウインドウとして表示される。
【００２６】
プレビュー画面の拡大・縮小の機能を有しており、両者の細部まで比較することが可能となっている。
【００２７】
以上説明したように、本実施例によれば、ユーザは色再現範囲の異なるカートリッジを使用したときの印刷結果を実際に印刷することなくプレビュー画像により知ることが出来、また、並べて表示されたプレビュー画像を比較することにより、好ましい色味の画像が形成されるカートリッジを実際に印刷することになく選択することが出来る。
【図面の簡単な説明】
【００２８】
【図１】本発明のカートリッジ毎の印刷結果通知装置を含むシステムの実施形態図
【図２】本実施例のプレビューの手順例を示すフローチャート図
【図３】本実施例のカートリッジ選択のダイアログの例を示す図
【図４】本実施例のプレビュー画面の例を示す図
【符号の説明】
【００２９】
１０    カラーモニタ
２０    ホストコンピュータ
３０    ＬＢＰ（Ｌａｓｅｒ  Ｂｅａｍ  Ｐｒｉｎｔｅｒ（登録商標））
３１    カートリッジＡ
３２    カートリッジＢ
４０    カラーマネジメントシステム
４１    プロファイル
４２    色変換部
５０    プレビュー画面
５１    カートリッジＡ用プロファイルで変換した画像
５２    カートリッジＢ用プロファイルで変換した画像
１００    カラーモニタ用プロファイル
１０１    カートリッジＡ用プロファイル
１０２    カートリッジＢ用プロファイル
【図２】
2006053642.tif 000003
【図１】
2006053642.tif 000004
【図３】
2006053642.tif 000005
【図４】
2006053642.tif 000006